【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
第１機器を介して提供される第１サービスに関連する第１文書に対してクリップボードへのコピーリクエストがある場合、前記第１文書を前記クリップボードに格納するクラウド基盤の格納部と、
前記クリップボードに格納された前記第１文書と連係可能な少なくとも１つの第２サービスを識別する識別部と、
第２機器を介して前記クリップボードへのアクセスリクエストがある場合、前記第２機器を対象に前記第１文書の目録及び対応する前記第２サービスの目録を表示する提供部と、
を備え、
前記第２サービスは、前記クリップボードに格納された各文書ごとに決定される前記第２サービスの目録から選択可能であり、
前記提供部は、
前記クリップボードに格納された前記第１文書が１つ以上である場合、一定基準の項目露出の順序に応じて前記第１文書の目録を整列した後、前記整列された第１文書それぞれに対応する前記第２サービスを前記第２機器に提供し、
前記クラウド基盤の格納部、前記識別部、及び前記提供部は、前記第１機器及び前記第２機器とは異なる空間であるクラウド環境に実現されること
を特徴とするクラウド基盤の文書リンクシステム。
【請求項２】
前記クラウド基盤の格納部は、前記第１文書を前記第１文書のタイプ、ソース、格納時間のうち少なくとも１つの付加データと共に格納することを特徴とする請求項１に記載のクラウド基盤の文書リンクシステム。
【請求項３】
前記第２機器は、前記第１機器と同一の通信端末または互いに異なる通信端末であることを特徴とする請求項１または請求項２に記載のクラウド基盤の文書リンクシステム。
【請求項４】
前記識別部は、前記第１文書をペーストして処理可能な前記第２サービスを識別することを特徴とする請求項１から請求項３のいずれか１項に記載のクラウド基盤の文書リンクシステム。
【請求項５】
広告サーバとの連動によって前記第１文書を分析して前記第１文書とマッチングされる広告を選定する選定部をさらに備えることを特徴とする請求項１から請求項４のいずれか１項に記載のクラウド基盤の文書リンクシステム。
【請求項６】
広告サーバとの連動によって、予め指定された広告露出の対象に前記第１文書が含まれる広告を選定する選定部をさらに備えることを特徴とする請求項１から請求項４のいずれか１項に記載のクラウド基盤の文書リンクシステム。
【請求項７】
広告サーバとの連動によって、予め指定された広告露出の対象に前記第２サービスが含まれる広告を選定する選定部をさらに備えることを特徴とする請求項１から請求項４のいずれか１項に記載のクラウド基盤の文書リンクシステム。
【請求項８】
前記提供部は、前記第１文書を前記クリップボードに格納された時間順に整列することを特徴とする請求項１から請求項７のいずれか１項に記載のクラウド基盤の文書リンクシステム。
【請求項９】
前記提供部は、前記第１文書を前記第１文書のタイプまたはソースのうち少なくとも１つを基準にして分類して整列することを特徴とする請求項１から請求項７のいずれか１項に記載のクラウド基盤の文書リンクシステム。
【請求項１０】
前記提供部は、前記第１文書と連係可能なものとして識別された前記第２サービスの数を基準にして前記第１文書を整列することを特徴とする請求項１から請求項７のいずれか１項に記載のクラウド基盤の文書リンクシステム。
【請求項１１】
前記提供部は、前記第１文書に関連するものとして選定された広告の数を基準にして前記第１文書を整列することを特徴とする請求項１から請求項７のいずれか１項に記載のクラウド基盤の文書リンクシステム。
【請求項１２】
前記提供部は、前記第１文書を他のユーザによるコピーリクエストが多い人気順に整列することを特徴とする請求項１から請求項７のいずれか１項に記載のクラウド基盤の文書リンクシステム。
【請求項１３】
前記提供部は、前記第２サービスの目録から前記第２サービスが選択されると、前記選択された第２サービスに関連する第２文書を前記第２機器に提供することを特徴とする請求項１から請求項１２のいずれか１項に記載のクラウド基盤の文書リンクシステム。
【請求項１４】
第１機器を介して提供される第１サービスに関連する第１文書に対してクラウド基盤のクリップボードへのコピーリクエストがある場合、前記第１文書を前記クリップボードに格納するステップと、
前記クリップボードに格納された前記第１文書と連係可能な少なくとも１つの第２サービスを識別するステップと、
第２機器を介して前記クリップボードへのアクセスリクエストがある場合、前記第２機器を対象に前記第１文書の目録及び対応する前記第２サービスの目録を表示するステップと、
を含み、
前記第２サービスは、前記クリップボードに格納された各文書ごとに決定される前記第２サービスの目録から選択可能であり、
前記第１文書の目録及び前記第２サービスの目録を表示するステップは、
前記クリップボードに格納された前記第１文書が１つ以上である場合、一定基準の項目露出の順序に応じて前記第１文書の目録を整列した後、前記整列された第１文書それぞれに対応する前記第２サービスを前記第２機器に提供し、
前記クリップボードは、前記第１機器及び前記第２機器とは異なる空間であるクラウド環境に実現されること
を特徴とするクラウド基盤の文書リンク方法。
【請求項１５】
前記第１文書を格納するステップは、前記第１文書を前記第１文書のタイプ、ソース、格納時間のうち少なくとも１つの付加データと共に格納することを特徴とする請求項１４に記載のクラウド基盤の文書リンク方法。
【請求項１６】
前記第２機器は、前記第１機器と同一の通信端末または互いに異なる通信端末であることを特徴とする請求項１４または請求項１５に記載のクラウド基盤の文書リンク方法。
【請求項１７】
前記第２サービスを識別するステップは、前記第１文書をペーストして処理可能な前記第２サービスを識別することを特徴とする請求項１４から請求項１６のいずれか１項に記載のクラウド基盤の文書リンク方法。
【請求項１８】
広告サーバとの連動によって前記第１文書を分析して前記第１文書とマッチングされる広告を選定するステップをさらに含むことを特徴とする請求項１４から請求項１７のいずれか１項に記載のクラウド基盤の文書リンク方法。
【請求項１９】
広告サーバとの連動によって、予め指定された広告露出の対象に前記第１文書が含まれる広告を選定するステップをさらに含むことを特徴とする請求項１４から請求項１７のいずれか１項に記載のクラウド基盤の文書リンク方法。
【請求項２０】
広告サーバとの連動によって、予め指定された広告露出の対象に前記第２サービスが含まれる広告を選定するステップをさらに含むことを特徴とする請求項１４から請求項１７のいずれか１項に記載のクラウド基盤の文書リンク方法。
【請求項２１】
前記第１文書の目録及び前記第２サービスの目録を表示するステップは、前記第１文書を前記クリップボードに格納された時間順に整列することを特徴とする請求項１４から請求項２０のいずれか１項に記載のクラウド基盤の文書リンク方法。
【請求項２２】
前記第１文書の目録及び前記第２サービスの目録を表示するステップは、前記第１文書を前記第１文書のタイプまたはソースのうち少なくとも１つを基準にして分類して整列することを特徴とする請求項１４から請求項２０のいずれか１項に記載のクラウド基盤の文書リンク方法。
【請求項２３】
前記第１文書の目録及び前記第２サービスの目録を表示するステップは、前記第１文書と連係可能なものとして識別された前記第２サービスの数を基準にして前記第１文書を整列することを特徴とする請求項１４から請求項２０のいずれか１項に記載のクラウド基盤の文書リンク方法。
【請求項２４】
前記第１文書の目録及び前記第２サービスの目録を表示するステップは、前記第１文書に関連されたものとして選定された広告の数を基準にして前記第１文書を整列することを特徴とする請求項１４から請求項２０のいずれか１項に記載のクラウド基盤の文書リンク方法。
【請求項２５】
前記第１文書の目録及び前記第２サービスの目録を表示するステップは、前記第１文書を他のユーザによるコピーリクエストが多い人気順に整列することを特徴とする請求項１４から請求項２０のいずれか１項に記載のクラウド基盤の文書リンク方法。
【請求項２６】
前記第２サービスの目録から前記第２サービスが選択されると、前記選択された第２サービスに関連する第２文書を前記第２機器に提供するステップをさらに含むことを特徴とする請求項１４から請求項２５のいずれか１項に記載のクラウド基盤の文書リンク方法。
【請求項２７】
クラウド基盤で文書をリンクするように制御する命令を含むコンピュータで読み出し可能な媒体であって、
前記命令は、
第１機器を介して提供される第１サービスに関連する第１文書に対してクラウド基盤のクリップボードへのコピーリクエストがある場合、前記第１文書を前記クリップボードに格納するステップと、
前記クリップボードに格納された前記第１文書と連係可能な少なくとも１つの第２サービスを識別するステップと、
第２機器を介して前記クリップボードへのアクセスリクエストがある場合、前記第２機器を対象に前記第１文書の目録及び対応する前記第２サービスの目録を表示するステップと、
を含む方法によって文書をリンクするように制御し、
前記第２サービスは、前記クリップボードに格納された各文書ごとに決定される前記第２サービスの目録から選択可能であり、
前記第１文書の目録及び前記第２サービスの目録を表示するステップは、前記クリップボードに格納された前記第１文書が１つ以上である場合、一定基準の項目露出の順序に応じて前記第１文書の目録を整列した後、前記整列された第１文書それぞれに対応する前記第２サービスを前記第２機器に提供し、
前記クリップボードは、前記第１機器及び前記第２機器とは異なる空間であるクラウド環境に実現されること
を特徴とするコンピュータで読み出し可能な媒体。